(57)【要約】【課題】外部電源装置が不要で、ＬＥＤ光源の調光機能を備えた照明用光源装置を実現する。【解決手段】照明用光源装置１００は、回路基板１の導電部に、入力交流を直流に整流するための交流−直流整流部１０と、交流−直流整流部１０の出力部に電気的に接続され、回路基板１の回路の一部として内蔵された電源部２０と、複数のＬＥＤを有するＬＥＤ光源３０と、電源部２０の出力部とＬＥＤ光源３０との間に介設され、ＬＥＤ光源に供給する電圧を制御するための電圧制御部４０と、交流−直流整流部１０の出力部に電気的に接続され、ＬＥＤ光源に入力される電流値を調整するための電流調整部５０と、を有する。【選択図】図１
2016072189.tif 000002
【特許請求の範囲】
【請求項１】
回路基板の導電部に、少なくとも、
入力交流を直流に整流するための交流−直流整流部と、
前記交流−直流整流部の出力部に電気的に接続され、前記回路基板の回路の一部として内蔵された電源部と、
複数のＬＥＤを有するＬＥＤ光源と、
前記電源部の出力部と前記ＬＥＤ光源との間に介設され、前記ＬＥＤ光源に供給する電圧を制御するための電圧制御部と
前記交流−直流整流部の出力部に電気的に接続され、前記ＬＥＤ光源に入力される電流値を調整するための電流調整部と、
を有することを特徴とする照明用光源装置。
【請求項２】
前記電源部は、定電流電源回路または定電圧電源回路であることを特徴とする請求項１に記載の照明用光源装置。
【請求項３】
前記ＬＥＤ光源は、波長の異なる複数色のＬＥＤが電気的に直列接続され、１Ｗ〜２０Ｗ／チップの出力を有することを特徴とする請求項１または請求項２に記載の照明用光源装置。
【請求項４】
前記電圧制御部は、電圧可変によって出力電流を制御するための電界効果素子と、前記出力電流の電圧を降下するための電圧降下部と、を有することを特徴とする請求項１から３のいずれか１項に記載の照明用光源装置。
【請求項５】
前記電界効果素子はＭＯＳＦＥＴ、ＦＥＴ、またはＣＭＯＳで形成され、前記電圧降下部は電気的に直列接続された複数のコイルで形成されていることを特徴とする請求項４に記載の照明用光源装置。
【請求項６】
前記電源部の出力部に、前記ＬＥＤ光源の光量を調節するための調光回路部が電気的に接続されていることを特徴とする請求項１から５のいずれか１項に記載の照明用光源装置。
【請求項７】
前記調光回路部は、抵抗値を可変操作するための可変抵抗器であることを特徴とする請求項６に記載の照明用光源装置。
【請求項８】
前記可変抵抗器は、パルス幅変調信号を発信して、該可変抵抗器の抵抗値を可変操作するためのパルス幅変調回路部を備えていることを特徴とする請求項７に記載の照明用光源装置。
【請求項９】
前記交流−直流整流部の入力部に、出力端子が電気的に接続されていることを特徴とする請求項１から８のいずれか１項に記載の照明用光源装置。
【発明の詳細な説明】
【技術分野】
【０００１】
本発明は、照明用光源として、波長の異なる複数色の発光ダイオード（以下、「ＬＥＤ」という）を有するハイパワーＬＥＤ光源を用いた照明用光源装置に関する。
【背景技術】
【０００２】
近年、生鮮野菜等の植物や茸等の菌類子実体などの安定供給や自給率の向上のため、いわゆる植物工場としての植物育成装置が注目されている。植物育成装置は、光源として人工光を用いることにより、季節や外部環境等に関係なく、安定した植物供給を実現している。
【０００３】
植物育成用光源についての開発も著しく、従来の蛍光灯やナトリウムランプに代えて、波長の異なる複数色のＬＥＤ光源を用いることが主流となってきている。ＬＥＤ光源を用いた植物育成用光源装置に関する技術としては、例えば、第１の波長の光を植物に照射する第１光源と、第１光源とは異なる波長の光を植物の育成段階に応じて照射する第２光源とを備えてなる植物育成用光源装置が開示されている（特許文献１参照）。
【先行技術文献】
【特許文献】
【０００４】
【特許文献１】特開２０１１−９７９００号公報
【発明の概要】
【発明が解決しようとする課題】
【０００５】
しかし、特許文献１の植物育成用光源装置には、交流−直流整流機能を備えた外部電源装置が必要であった（特許文献１の図２参照）。特許文献１の植物育成用光源装置は、各光源ユニットにコネクタを備え、複数の光源ユニットで１台の外部電源装置を共有している。
【０００６】
しかし、１台の外部電源装置に接続可能な光源ユニットの数は、当該外部電源装置の消費電力によって制限される。また、植物育成装置に多数の光源ユニットを配設する場合には、例えば、消費電力約３２０Ｗ，重量約１〜２ｋｇ程度の外部電源装置が複数台必要となり、配線の取り回しが煩雑なだけでなく、設備コストが増大していた。
【０００７】
また、植物育成用光源装置では、育成する植物等の種類に応じて、植物育成用光源の光量を調整する必要がある。特に、植物育成用光源として、１Ｗ以上の高出力のハイパワーＬＥＤ光源を用いる場合には、光量が大きく高輝度であるため、調光機能を有することが必須となる。したがって、ハイパワーＬＥＤ光源に対応した調光回路の開発が求められていた。
【０００８】
本発明は、上記の事情に鑑みて創案されたものであり、外部電源装置が不要で、ＬＥＤ光源の光量を調節するための調光機能を備えた照明用光源装置の提供を目的とする。
【課題を解決するための手段】
【０００９】
上記目的を達成するために、本発明に係る照明用光源装置は、回路基板の導電部に、少なくとも、交流−直流整流部、電源部、ＬＥＤ光源、電圧制御部、および電流調整部を有する。上記交流−直流整流部は、入力交流を直流に整流する。上記電源部は、上記交流−直流整流部の出力部に電気的に接続され、上記回路基板の回路の一部として内蔵されている。ＬＥＤ光源は、複数のＬＥＤを有する。上記電圧制御部は、上記電源部の出力部と上記ＬＥＤ光源との間に介設され、上記ＬＥＤ光源に供給する電圧を制御する。上記電流調整部は、上記交流−直流整流部の出力部に電気的に接続され、上記ＬＥＤ光源に入力される電流値を調整する。
【００１０】
上記照明用光源装置において、上記電源部は、定電流電源回路または定電圧電源回路であることが好ましい。
【００１１】
また、上記ＬＥＤ光源は、波長の異なる複数色のＬＥＤが電気的に直列接続され、１Ｗ〜２０Ｗ／チップの出力を有することが好ましい。
【００１２】
上記電圧制御部は、電圧可変によって出力電流を制御するための電界効果素子と、前記出力電流の電圧を降下するための電圧降下部と、を有することが好ましい。
【００１３】
上記電界効果素子はＭＯＳＦＥＴ、ＦＥＴ、またはＣＭＯＳで形成され、上記電圧降下部は電気的に直列接続された複数のコイルで形成されていることが好ましい。
【００１４】
さらに、上記電源部の出力部に、上記ＬＥＤ光源の光量を調節するための調光回路部が電気的に接続されていることが好ましい。
【００１５】
上記調光回路部は、抵抗値を可変操作するための可変抵抗器であることが好ましい。
【００１６】
上記可変抵抗器は、パルス幅変調信号を発信して、該可変抵抗器の抵抗値を可変操作するためのパルス幅変調回路部を備えていることが好ましい。
【００１７】
そして、上記交流−直流整流部の入力部に、出力端子が電気的に接続されていることが好ましい。
【発明の効果】
【００１８】
本発明に係る照明用光源装置によれば、電源部を回路基板の回路の一部として内蔵しているので、外部電源装置が不要である。また、調光回路部を備える場合には、ＬＥＤ光源の光量を調節することができるという優れた効果を発揮する。
【図面の簡単な説明】
【００１９】
【図１】本実施形態に係る照明用光源装置の回路図である。
【図２】本実施形態に係る照明用光源装置同士を電気的に複数接続した状態の模式図である。
【発明を実施するための形態】
【００２０】
以下、図面を参照して、本実施形態に係る照明用光源について説明する。ただし、図面において、同一又は類似の部材や部分には同一又は類似の符号を付している。また、図面は模式的に図示しており、実際の寸法や比率等とは必ずしも一致しない。さらに、図面相互間において、互いの寸法の関係や比率が異なる部分が含まれることがある。
〔照明用光源装置の構成〕
【００２１】
まず、図１を参照して、本実施形態に係る照明用光源装置の構成について説明する。図１は本実施形態に係る照明用光源装置の回路図である。
【００２２】
図１に示すように、本実施形態に係る照明用光源装置１００は、回路基板１の導電部に、少なくとも、交流−直流整流部１０、電源部２０、ＬＥＤ光源３０、電圧制御部４０、および電流調整部５０を有する。さらに、本実施形態に係る照明用光源装置１００は、調光回路部６０を有する。
【００２３】
回路基板１としては、例えば、アルミニウム基板、銅基板、セラミック基板、またはプリント基板等の汎用基板が挙げられるが、ユニバーサル基板なども使用可能であり、例示の基板に限定されない。回路基板１は、例えば、本実施形態に係る照明用光源装置１００を植物育成もしくは植物栽培装置に用いる場合、植物棚の形状やサイズに合わせて、横長長方形状や短冊状の外形を呈するが、基板形状は例示の形状に限定されない。本実施形態に係る照明用光源装置１００を植物育成もしくは植物栽培用光源装置として用いる場合、回路基板１の表面には、ＰＰＦＤ（光合成有効光量子束密度）を反射するコーティングを施すことが好ましい。本実施形態に係る照明用光源装置１００を構成する交流−直流整流部１０、電源部２０、ＬＥＤ光源３０、電圧制御部４０、電流調整部５０、および調光回路部６０等の電子部品および回路は、回路基板１の導電部に実装される。
【００２４】
交流−直流整流部１０は、入力端子１１Ａ，１１Ｂから入力された１００Ｖ〜２４０Ｖの交流（ＡＣ）を直流（ＤＣ）に整流する。ＬＥＤ光源３０は、基本的にＤＣ駆動だからである。本実施形態の交流−直流整流部１０としては、例えば、図１に例示したように、４個のダイオードを組み合わせたダイオードブリッジを採用することが好ましい。ダイオードブリッジは、ダイオードで入力ＡＣのマイナス側の振幅をクランプし、マイナス側の波形を反転させてＤＣ整流するための全波形整流回路である。
【００２５】
交流−直流整流部１０の入力部には、ＡＣ電源を入力するための入力端子１１Ａ，１１Ｂが電気的に接続されている。一方の入力端子１１Ａまたは１１Ｂには、定格以上の大電流から電気回路を保護するためのヒューズ１２が介設されている。また、交流−直流整流部１０の出力部には、ＤＣ化した波形を平滑にするためのコンデンサ７１が電気的に並列接続されている。
【００２６】
本実施形態では、交流−直流整流部１０として全波形整流を行うダイオードブリッジを採用したが、これに限定されず、１個のダイオードで入力ＡＣのマイナス側の振幅をクランプする半整流回路を採用しても構わない。コンデンサ７１の容量と負荷が同じ場合は、全波整流回路の方が半波整流回路よりもリップル（Ｒｉｐｐｌｅ；脈流）を小さくすることができる。
【００２７】
交流−直流整流部１０の出力部には、電源部２０の入力部が電気的に並列接続されている。すなわち、本実施形態に係る照明用電源装置１００は、電源部１０を回路基板１の回路の一部として内蔵している。
【００２８】
電源部２０としては、出力電流が一定である定電流電源回路と、出力電圧が一定である定電圧電源回路が存在する。本実施形態の電源部２０には、例えば、定電流電源回路を採用することが好ましい。定電流電源回路は、内部インピーダンスの大きさに拘わらず、出力電流が一定に保持されるからである。本実施形態では、電源部２０として、１００Ｖ〜２４０Ｖの可変電圧を出力可能な定電流電源回路を採用したが、これに限定されず、定電圧電源回路を採用しても構わない。また、電源部２０としては、例えば、電源チップＩＣを採用することが好ましいが、当該電源チップＩＣに限定されない。
【００２９】
ＬＥＤ光源３０は、例えば、波長の異なる複数色のＬＥＤ３１，３２が電気的に直列接続されている。ＬＥＤ光源３０としては、１Ｗ〜２０Ｗ／チップの出力であり、光量が大きく高輝度を有するハイパワーＬＥＤ光源を採用することが好ましい。１Ｗ以上の出力としたのは、出力が１Ｗ／チップ以上のＬＥＤを一般にハイパワーＬＥＤと称しているからである。他方、２０Ｗ以下の出力としたのは、現行において出力が２０Ｗ／チップ以下のものがハイパワーＬＥＤとして市販されているので、好適な上限として示したものであり、必ずしも２０Ｗを超えるハイパワーＬＥＤを排除する趣旨ではない。本実施形態のＬＥＤ光源３０は、抵抗５３を介して、ＬＥＤ３１とＬＥＤ３２とが電気的に直列接続されているが、直列接続するＬＥＤの数は例示の数に限定されない。また、ＬＥＤ３１とＬＥＤ３２とが電気的に並列接続されている場合を排除するものではない。
【００３０】
ＬＥＤの発色としては、例えば、ＬＥＤ光源３０を植物育成もしくは植物栽培用光源として用いる場合、光合成に有効な赤色（Ｒ）と青色（Ｂ）の組み合わせ、または植物の育成状態を人間の目で視認しやすい白色（Ｗ）が挙げられる。植物の光合成に関わるクロロフィルが吸収しやすい波長は、４５０ｎｍ程度、６６０ｎｍ程度とされる。また、赤色弱光反応や青色強光反応は、光形態形成に関わるフィトクロームが反応しやすい波長とされる。赤色（Ｒ）ＬＥＤは、例えば、６２０〜７００ｎｍの長波長域で発光ピークを有する。青色（Ｂ）ＬＥＤは、例えば、４００〜４８０ｎｍの短波長域で発光ピークを有する。白色（Ｗ）ＬＥＤは、現在、青色（Ｂ）ＬＥＤと蛍光体を組み合わせたものが主流であり、励起波長は４５０ｎｍ（青色）である。なお、本実施形態で例示したＬＥＤ光源３０の発色の組み合わせは例示であって限定されるものではなく、例えば、波長の異なる複数色のＬＥＤを任意に組み合わせることができる。また、ＬＥＤ光源３０が単一色である場合を排除するものではない。
【００３１】
本実施形態のハイパワーＬＥＤ光源において、赤色（Ｒ）と青色（Ｂ）の組み合わせの駆動電圧は、例えば、Ｒ（２Ｖ）が９個で１８Ｖ、およびＢ（３Ｖ）が３個で９Ｖの構成が挙げられ、合計２７Ｖ駆動となる。白色（Ｗ）の駆動電圧は、例えば、Ｗ（３Ｖ）×１２個で、３６Ｖ駆動となる。
【００３２】
電源部２０の可変電圧出力部とＬＥＤ光源３０との間には、当該ＬＥＤ光源３０に供給する電圧を制御するための電圧制御部４０が介設されている。本実施形態の電圧制御部４０は、例えば、電圧可変によって出力電流を制御するための電界効果素子４１と、当該出力電流を電圧降下させるための電圧降下部４２と、で構成することが好ましい。電源部２０の電圧出力部には、電界効果素子４１の電圧入力部が電気的に接続されている。
【００３３】
電界効果素子４１としては、例えば、電界効果トランジスタ（ＦＥＴ；Ｆｉｅｌｄ  Ｅｆｆｅｃｔ  Ｔｒａｎｓｉｓｔｏｒ）の他、ゲート（Ｇ）の絶縁に金属酸化膜を用いたＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）や、ＣＭＯＳ（Ｃｏｍｐｌｅｍｅｎｔａｒｙ  ＭＯＳ）等の素子が挙げられる。ＭＯＳＦＥＴには、ｐ型のＰチャンネルＭＯＳＦＥＴとｎ型のＮチャンネルＭＯＳＦＥＴがある。ＣＭＯＳは、ＰＭＯＳＦＥＴとＮＭＯＳＦＥＴの双方を一つの回路に備えている。
【００３４】
本実施形態では、電界効果素子４１として、例えば、ＮチャンネルＭＯＳＦＥＴを採用することが好ましいが、当該ＮチャンネルＭＯＳＦＥＴに限定されない。ＮチャンネルＭＯＳＦＥＴは、ゲート（Ｇ）、ドレイン（Ｄ）、ソース（Ｓ）の３端子からなる半導体素子であり、Ｇ−Ｓ間電圧によってＤ−Ｓ間電流を制御することができる。
【００３５】
電界効果素子４１のドレイン（Ｄ）は、ダイオード８１を介して、交流−直流整流部１０のプラス出力に電気的に接続されている。当該ダイオード８１のアノードは電界効果素子４１のドレイン（Ｄ）と電気的に接続され、カソードは交流−直流整流部１０のプラス出力と電気的に接続されている。すなわち、電界効果素子４１のドレイン（Ｄ）は、ダイオード８１を介して、ＬＥＤ光源３０のアドードと電気的に接続されている。
【００３６】
電界効果素子４１のドレイン（Ｄ）とダイオード８１との間には、電圧降下部４２の入力部が電気的に接続されている。本実施形態の電圧降下部４２は、例えば、複数のコイル（インダクタ）によって構成されている。電圧降下部４２は、電気的に直列接続するコイルの数を設定することにより、設定電圧が定められる。電圧降下部４２の出力部は、ＬＥＤ光源３０のカソードに接続されている。
【００３７】
交流−直流整流部１０のプラス出力と複数のコイルの出力部との間には、ＬＥＤ光源３０に供給されるＤＣ電圧を安定させるための複数のコンデンサ７２，７３が電気的に接続されている。すなわち、複数のコンデンサ７２，７３は、ＬＥＤ光源３０と電気的に並列接続されている。
【００３８】
電源部２０のマイナス出力、および電界効果素子４１のソース（Ｓ）と、交流−直流整流部１０のマイナス出力との間には、ＬＥＤ光源３０に入力される電流値を調整するための電流調整部５０が電気的に接続されている。本実施形態の電流調整部５０は、例えば、電気的に並列接続された３個の抵抗５１Ａ，５１Ｂ，５１Ｃによって構成されるが、抵抗の数は限定されない。本実施形態では、電流調整部５０によって、ＬＥＤ光源３０に入力される電流値が、例えば、４００ｍＡに設定されている。電流調整部５０の抵抗の容量および数によって、３５０ｍＡや４５０ｍＡなど、ＬＥＤ光源３０に入力される設定電流値は異なる。
【００３９】
交流−直流整流部１０のプラス出力には、抵抗５２を介して、プラスＤＩＭ端子６１Ａが電気的に接続されている。他方、交流−直流整流部１０のマイナス出力には、マイナスＤＩＭ端子６１Ｂが電気的に接続されている。ＤＩＭ端子６１Ａ，ＤＩＭ端子６１Ｂには、調光回路部６０が電気的に接続されている。本実施形態において、調光回路部６０はオプショナルな構成要素である。本実施形態の調光回路部６０は、例えば、抵抗値を可変操作するための可変抵抗器（図示せず）で構成されている。当該可変抵抗器の抵抗値を手動操作することにより、ＬＥＤ光源３０の光量を調節することができる。ＤＩＭ端子６１Ａ，６１Ｂには、ＤＣ電圧を安定させるためのコンデンサ７４が電気的に並列接続されている。
【００４０】
また、可変抵抗器には、例えば、パルス幅変調（ＰＷＭ；Ｐｕｌｓｅ  Ｗｉｄｔｈ  Ｍｏｄｕｌａｔｉｏｎ）信号を発信するためのパルス幅変調回路部（図示せず）を電気的に接続してもよい。パルス幅変調回路部を備える場合には、当該パルス幅変調回路部のパルス幅変調信号によって可変抵抗器の抵抗値を可変操作することができる。
【００４１】
入力端子１１Ａとヒューズ１２との間、および入力端子１１Ｂと交流−直流整流部１０のマイナス出力端子との間には、出力端子９１Ａ，９１Ｂが電気的に接続されている。当該出力端子９１Ａ，９１Ｂの存在により、本実施形態に係る照明用光源装置１００同士を電気的に複数個接続することができる。本実施形態に係る照明用光源装置１００同士の電気的な接続は、直列接続であるか、並列接続であるかを問わない。
〔照明用光源装置の作用〕
【００４２】
次に、図１および図２を参照して、本実施形態に係る照明用光源装置の作用について説明する。図２は本実施形態に係る照明用光源装置同士を電気的に複数接続した状態の模式図である。
【００４３】
図１に示すように、本実施形態に係る照明用光源装置１００の入力端子１１Ａ，１１Ｂに不図示の交流電源を接続することにより、１００Ｖ〜２４０Ｖの交流（ＡＣ）が入力される。入力端子１１Ａ，１１Ｂに入力された交流（ＡＣ）は、交流−直流整流部１０によって直流（ＤＣ）に整流される。本実施形態の交流−直流整流部１０は、例えば、全波形整流回路としてのダイオードブリッジによって形成されているので、ダイオードで入力ＡＣのマイナス側の振幅をクランプし、マイナス側の波形を反転させてＤＣ整流する。
【００４４】
一方の入力端子１１Ａまたは１１Ｂと交流−直流整流部１０の入力部との間にはヒューズ１２が介設されており、定格以上の大電流が流れると、当該ヒューズ１２が切れて、ＡＣ入力を遮断する。また、交流−直流整流部１０の出力部にはコンデンサ７１が電気的に並列接続されているので、当該交流−直流整流部１０でＤＣ化した波形を平滑にすることができる。
【００４５】
交流−直流整流部１０の出力部には、電源部２０の入力部が電気的に並列接続されている。すなわち、電源部１０は、回路基板１の回路の一部として内蔵されている。当該電源部１０としては、内部インピーダンスの大きさに拘わらず、出力電流が一定に保持されるので、定電流電源回路を採用することが好ましい。電源部２０は、出力電流を一定としながら、例えば、１００Ｖ〜２４０Ｖの電圧範囲で可変電圧を出力する。
【００４６】
電源部２０の電圧出力部とＬＥＤ光源３０との間には、電圧制御部４０が介設されている。電圧制御部４０は、ＬＥＤ光源３０に供給する電圧を制御する機能を有する。本実施形態の電圧制御部４０は、例えば、電界効果素子４１と電圧降下部４２とで構成されている。
【００４７】
電界効果素子４１は、例えば、ＭＯＳＦＥＴ、ＦＥＴ、またはＣＭＯＳ等の電界効果トランジスタで形成されている。ＭＯＳＦＥＴ、ＦＥＴ、またはＣＭＯＳ等の電界効果トランジスタによれば、電圧可変によって出力電流を容易に制御することができる。電界効果素子４１の電圧入力部は、電源部２０の電圧出力部と電気的に接続されている。電界効果素子４１のドレイン（Ｄ）は、ダイオード８１を介して、交流−直流整流部１０のプラス出力に電気的に接続されている。すなわち、電界効果素子４１のドレイン（Ｄ）は、ダイオード８１を介して、ＬＥＤ光源３０のアドードと電気的に接続されている。
【００４８】
他方、電圧降下部４２は、例えば、電気的に直列接続された複数のコイル（インダクタ）によって形成され、電界効果素子４１の出力電流を電圧降下する。電圧降下部４２の入力部は、電界効果素子４１のドレイン（Ｄ）とダイオード７１との間に電気的に接続されている。電圧降下部４２の出力部は、ＬＥＤ光源３０のカソードに接続されている。
【００４９】
すなわち、本実施形態の電界効果素子４１として、例えば、ＮチャンネルＭＯＳＦＥＴを採用する場合は、電源部１０から１００Ｖ〜２４０Ｖの範囲でＮチャンネルＭＯＳＦＥＴのゲート（Ｇ）に可変電圧を入力することにより、Ｇ−Ｓ間電圧を変化させてＤ−Ｓ間電流を制御することができる。ＮチャンネルＭＯＳＦＥＴのドレン（Ｄ）から電圧制御部４２に入力された出力電流は、電圧降下部４２によって電圧降下される。
【００５０】
電源部２０のマイナス出力、および電界効果素子４１のソース（Ｓ）と、交流−直流整流部１０のマイナス出力との間に、電流調整部５０が電気的に接続されている。本実施形態では、電流調整部５０によって、ＬＥＤ光源３０に入力される電流値が、例えば、４００ｍＡに設定されるが、抵抗の容量および数によって設定電流値は異なる。
【００５１】
交流−直流整流部１０の出力には、ＤＩＭ端子６１Ａ，６１Ｂが電気的に接続されている。そして、これらＤＩＭ端子６１Ａ，６１Ｂには、オプショナルな構成要素としての調光回路部６０が電気的に接続されている。本実施形態の調光回路部６０は可変抵抗器で構成されており、可変抵抗器の抵抗値を手動操作することにより、ＬＥＤ光源３０の光量を調節することができる。
【００５２】
さらに、本実施形態の調光回路部６０としての可変抵抗器にパルス幅変調回路部を電気的に接続すれば、当該パルス幅変調回路部のＰＷＭ信号によって可変抵抗器の抵抗値を可変操作することができる。よって、遠隔操作により調光回路部６０を操作して、ＬＥＤ光源３０の光量を調節することができる。
【００５３】
本実施形態のＬＥＤ光源３０は、複数色のＬＥＤ３１，３２が電気的に直列接続され、１Ｗ〜２０Ｗ／チップの高出力であり、光量が大きく高輝度を有する。したがって、本実施形態の調光回路部６０によって、ハイパワーＬＥＤ光源の光量を調節することができる。また、ＬＥＤ光源３０には、複数のコンデンサ７２，７３が電気的に並列接続されているので、ＬＥＤ光源３０に供給されるＤＣ電圧を安定させることができる。
【００５４】
また、本実施形態に係る照明用光源装置１００の入力端子１１Ａ，１１Ｂには、ヒューズ１２の手前において、出力端子９１Ａ，９１Ｂが電気的に接続されている。したがって、当該出力端子９１Ａ，９１Ｂに別の照明用光源装置１００の入力端子１１Ａ，１１Ｂを電気的に接続することにより、照明用光源装置１００同士を簡単に多数接続することができる。図２に示すように、照明用光源装置１００同士を電気的に直列接続および並列接続することにより、多数の照明用光源装置１００を縦横に接続することができる。例えば、植物育成もしくは植物栽培装置に多数の照明用光源装置１００を配設しても、電源部１０が回路基板１の回路として内蔵されているので、外部電源装置は要しない。
【００５５】
以上説明したように、本実施形態に係る照明用光源装置１００によれば、電源部１０を回路基板１の回路の一部として内蔵しているので、外部電源装置が不要である。したがって、配線の取り回しの煩わしさから解放され、設備コストを低減することができる。また、本実施形態に係る照明用光源装置１００は、オプショナルな構成要素として調光回路部６０を有するので、高輝度のハイパワーＬＥＤ光源を備えながら、当該ハイパワーＬＥＤ光源の調光機能を備えている。
【００５６】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【産業上の利用可能性】
【００５７】
本発明に係る照明用光源装置は、植物育成用もしくは植物栽培用光源装置の他、ＬＥＤ光源の波長を適宜設定することにより、茸等の菌類子実体育成用もしくは菌類子実体栽培用光源装置、虫避け用光源装置、または獣避け用光源装置などの種々の光源装置として、広く適用することができる。
【符号の説明】
【００５８】
１    回路基板、
１０    交流−直流整流部、
２０    電源部、
３０    ＬＥＤ光源、
３１、３２    ＬＥＤ、
４０    電圧制御部、
４１    電界効果素子、
４２    電圧降下部、
５０    電流調整部、
６０    調光回路部、
９１Ａ，９１Ｂ    出力端子。
【図１】
2016072189.tif 000003
【図２】
2016072189.tif 000004